(57)【特許請求の範囲】
【請求項１】
機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面の２面に配置したファンケーシングを備え、前記遠心送風機の羽根車はモータに直結して駆動し、前記モータの重心が前記遠心送風機の前記ケーシング側板の２面の間となるよう前記モータを配置し、防振材を前記機体の外面の角部近傍に露出して配置する構成としたことを特徴とする床置形消音ボックス付送風機。
【請求項２】
機体の底面に前記機体の寸法と同等の長さの機体架台を固定し、前記機体架台の下面に防振材を配置して前記機体を支持する構成としたことを特徴とする請求項１記載の床置形消音ボックス付送風機。
【請求項３】
機体架台の断面は曲げを設けたコの字形状とし、前記機体架台の一面を機体の底面に固定する構成としたことを特徴とする請求項２記載の床置形消音ボックス付送風機。
【請求項４】
防振材の設置床面側の下面に機体の寸法より長い設置架台を固定し、設置架台を設置床面に固定する構成としたことを特徴とする請求項１から３のいずれかに記載の床置形消音ボックス付送風機。
【請求項５】
設置架台の断面は曲げを設けたコの字形状とし、前記設置架台の一面を設置床面に固定する構成としたことを特徴とする請求項４記載の床置形消音ボックス付送風機。
【請求項６】
ケーシング吸込口に対向した機体の壁面に機体点検口を開口し、この機体点検口を設けた壁面を側面としたことを特徴とする請求項１から５のいずれかに記載の床置形消音ボックス付送風機。
【請求項７】
ケーシング吸込口に対向した機体の壁面に機体点検口を開口し、この機体点検口を設けた壁面を天面としたことを特徴とする請求項１から５のいずれかに記載の床置形消音ボックス付送風機。
【請求項８】
機体吸込口の面を前記機体の底面として防振材を配置した請求項１から５のいずれかに記載の床置形消音ボックス付送風機。
【請求項９】
機体の内面に吸音材を内貼りした構成としたことを特徴とする請求項１から８のいずれかに記載の床置形消音ボックス付送風機。
【請求項１０】
機体の外面に暴雨カバーを備えた構成としたことを特徴とする請求項１から９のいずれかに記載の床置形消音ボックス付送風機。
【発明の詳細な説明】
【技術分野】
【０００１】
本発明は、換気送風機器など消音ボックス内部に送風機を内蔵して使用される床置形消音ボックス付送風機に関する。
【背景技術】
【０００２】
従来、床置形消音ボックス付送風機としては、内蔵のファンケーシングとモータを水平方向に配置した遠心送風機の水平面に対する重心のずれに応じて、防振材を機体の内部に多数に配置したものが知られている。
【０００３】
また、内蔵のファンケーシングとモータを垂直方向に配置することで、内蔵の遠心送風機の水平面に対する重心のずれを少なくし、防振材を機体の内部に最少限の数量に削減したものが知られている（例えば、特許文献１参照）。
【０００４】
以下、その屋外用送風機について図７および図８を参照しながら説明する。
【０００５】
図７に示すように、機体１０１の内部に羽根車１０２を納めたファンケーシング１０３とモータ１０４を水平方向に配置した遠心送風機１０５を納め、遠心送風機１０５の全体を支える送風機架台１０６と機体１０１の内面の底部の機体架台１０７との間を角部支持用防振材１０８と重心支持用防振材１０９で支持している。機体１０１の外面の底部には設置床面１１０に設置するための設置架台１１１を固定している。そして、モータ１０４を運転するとモータ１０４の回転数は駆動ベルト１１２を介したプーリー１１３により回転数を増加して羽根車１０２を回転することで、機体１０１の側面の機体吸込口１１４から吸い込んだ空気を遠心送風機１０５を介して、機体１０１の側面の機体吹出口１１５から吹き出している。
【０００６】
また、図８に示すように、機体１２１の内部に羽根車１２２を納めたファンケーシング１２３とモータ１２４を垂直方向に配置した遠心送風機１２５を納め、遠心送風機１２５の全体を支える送風機架台１２６と機体１２１の内面の側面の機体架台１２７との間を垂直支持用防振材１２８と水平支持用防振材１２９で支持している。機体１２１の内面の底部には設置床面１３０に設置するための設置架台１３１を固定している。そして、モータ１２４を運転するとモータ１２４の回転数は駆動ベルト１３２を介したプーリー１３３により回転数を増加して羽根車１２２を回転することで、機体１２１の側面の機体吸込口１３４から吸い込んだ空気を遠心送風機１２５を介して、機体１２１の天面の機体吹出口１３５から吹き出している。
【先行技術文献】
【特許文献】
【０００７】
【特許文献１】特開平１０−３３９３００号公報
【発明の概要】
【発明が解決しようとする課題】
【０００８】
このような従来の床置形消音ボックス付送風機では、大風量特性化したい場合には、送風の動力が大きくなるにつれて、モータを大きくしながら、かつ、内蔵の遠心送風機をベルト駆動として羽根車の回転数を増加する必要があった。
【０００９】
一方、ファンケーシングとモータを水平方向に配置した床置形消音ボックス付送風機では、遠心送風機の水平面に対する重心はモータ側に片寄っている。そのため、重心の片寄りに対応して防振材を配置するには、遠心送風機の水平面に対する角部を保持する角部支持用防振材だけではなく、重心を調整する重心支持用防振材を設置する必要がある。従って、防振材の数量が増加し、さらにモータの重量に応じて重心支持用防振材の位置を組み立て時に調整する必要があり作業性が悪化していたという課題がある。また、防振材の数量や大きさを極力削減して合理化するため、消音ボックスを構成する機体全体の重量を支えるのではなく、内蔵の遠心送風機のみを機体の内部で支える構造としており組み立て作業性が悪化していたという課題もある。
【００１０】
また、ファンケーシングとモータを垂直方向に配置した床置形消音ボックス付送風機では、内蔵の遠心送風機の水平面に対する重心のずれを少なくし、機体の内部に設ける防振材を最少限の数量に削減することができる。しかし、遠心送風機の横倒れを防止して防振材を配置するには、遠心送風機全体の垂直方向の荷重を支える垂直支持用防振材だけではなく、水平方向の荷重を支える水平支持用防振材を設置する必要がある。従って、組み立て時に遠心送風機の横倒れを支えながら各防振材を組み立てる必要があり作業性が悪化していたという課題がある。
【００１１】
本発明は、上記従来の課題を解決するものであり、床置形消音ボックス付送風機の機体全体を軽量化しながら水平面に対する重心を中央として、４個程度の最少限の数量の防振材を機体の外面の角部近傍に配置することで、防振材の組み立て作業性を良化することができる床置形消音ボックス付送風機を提供することを目的とする。
【課題を解決するための手段】
【００１２】
本発明の床置形消音ボックス付送風機は、上記目的を達成するために、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面の２面に配置したファンケーシングを備え、前記遠心送風機の羽根車はモータに直結して駆動し、前記モータの重心が前記遠心送風機の前記ケーシング側板の２面の間となるよう前記モータを配置し、防振材を前記機体の外面の角部近傍に露出して配置する構成としたものであり、これにより、所期の目的を達成するものである。
【発明の効果】
【００１３】
本発明によれば、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面の２面に配置したファンケーシングを備え、前記遠心送風機の羽根車はモータに直結して駆動し、前記モータの重心が前記遠心送風機の前記ケーシング側板の２面の間となるよう前記モータを配置し、防振材を前記機体の外面の角部近傍に露出して配置する構成としたことにより、機体に内蔵の遠心送風機を、モータ直結駆動かつモータの重心をケーシング側板の２面の間に位置して、遠心送風機の重心を水平面に対する中央に近づけて、モータ自体を機体内部の送風で冷却することができる。そのため、モータの小型化とともに、機体全体を軽量化しながら、機体の重心は、水平面に対しほぼ中央となる。よって、防振材を機体の外面の角部近傍に配置するとともに、その防振材の縮みを均一にすることができ、さらには、防振材の組み立て作業性を良化することができる。
【図面の簡単な説明】
【００１４】
【図１】本発明の実施の形態１の床置形消音ボックス付送風機の側面図
【図２】同床置形消音ボックス付送風機の平面図
【図３】同床置形消音ボックス付送風機の機体吹出口側から見た正面図
【図４】本発明の実施の形態２の床置形消音ボックス付送風機の側面図
【図５】本発明の実施の形態３の床置形消音ボックス付送風機の側面図
【図６】本発明の実施の形態４の床置形消音ボックス付送風機の側面図
【図７】従来のファンケーシングとモータを水平方向に配置した床置形消音ボックス付送風機の側面図
【図８】従来のファンケーシングとモータを垂直方向に配置した床置形消音ボックス付送風機の側面図
【発明を実施するための形態】
【００１５】
本発明の請求項１記載の床置形消音ボックス付送風機は、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面の２面に配置したファンケーシングを備え、前記遠心送風機の羽根車はモータに直結して駆動し、前記モータの重心が前記遠心送風機の前記ケーシング側板の２面の間となるよう前記モータを配置し、防振材を前記機体の外面の角部近傍に露出して配置する構成としたものであり、機体に内蔵の遠心送風機を、モータ直結駆動かつモータの重心をケーシング側板の２面の間に位置して、遠心送風機の重心を水平面に対する中央に近づけることができることで、モータ自体を機体内部の送風で冷却することで小型化しつつ、機体全体を軽量化しながら機体の重心を水平面に対し中央とすることができるため、防振材の縮みを均一にしながら防振材を機体の外面の角部近傍に配置できるという作用を有するので、防振材の組み立て作業性を良化することができるという効果を奏する。
【００１６】
また、機体の底面に前記機体の寸法と同等の長さの機体架台を固定し、前記機体架台の下面に防振材を配置して前記機体を支持する構成としたものであり、機体の重量を機体架台が受けることで、機体を薄板化しつつ、防振材の数量を削減して防振材一箇所あたりの荷重が増加しても、機体の防振材支持による変形を防止できるという作用を有するので、軽量化して施工性を良化できるという効果を奏する。
【００１７】
また、機体架台の断面は曲げを設けたコの字形とし、前記機体架台の一面を機体の底面に固定する構成としたものであり、機体架台の断面に曲げを設けることで、機体架台を薄板化しつつ、防振材の数量を削減して防振材一箇所あたりの荷重が増加しても、機体架台の防振材支持による変形を防止できるという作用を有するので、軽量化して施工性を良化できるという効果を奏する。
【００１８】
また、防振材の設置床面側の下面に機体の寸法より長い設置架台を固定し、設置架台を設置床面に固定する構成としたものであり、設置架台が機体から突出することで、設置架台が機体に隠れることでの施工時の作業性の悪さを防止できるという作用を有するので、設置し易くして施工性を良化できるという効果を奏する。
【００１９】
また、設置架台の断面は曲げを設けたコの字形とし、前記設置架台の一面を設置床面に固定する構成としたものであり、設置架台の断面に曲げを設けることで、設置架台を薄板化しつつ、防振材の数量を削減して防振材一箇所あたりの荷重が増加しても、設置架台の防振材支持による変形を防止できるという作用を有するので、軽量化して施工性を良化できるという効果を奏する。
【００２０】
また、ケーシング吸込口に対向した機体の壁面に機体点検口を開口し、この機体点検口を設けた壁面を側面とし、前記機体点検口と隣り合いかつ機体吸込口と機体吹出口の無い側の面を前記機体の底面として防振材を配置した構成としたものであり、機体点検口を機体の側面に設けることで、機体の天面側が狭くメンテナンス空間がない設置条件でも、側面から内蔵の羽根車の点検を可能にできるという作用を有するので、メンテナンススペースを小さくできるという効果を奏する。
【００２１】
また、ケーシング吸込口に対向した機体の壁面に機体点検口を開口し、この機体点検口を設けた壁面を天面とし、前記機体点検口と対面する側を前記機体の底面として防振材を配置した構成としたものであり、機体点検口を機体の天面に設けることで、機体の両側が狭くメンテナンス空間がない設置条件でも、天面から内蔵の羽根車の点検を可能にできるという作用を有するので、メンテナンススペースを小さくできるという効果を奏する。
【００２２】
また、機体吸込口の面を前記機体の底面として防振材を配置した構成としたものであり、機体吸込口を機体の底面として、機体吸込口から機体吹出口に向かう方向を垂直方向とすることで、室内の空気を垂直上方向に搬送しながら建物の外壁面に機体を設置できるという作用を有するので、設置スペースを小さくできるという効果を奏する。
【００２３】
また、機体の内面に吸音材を内貼りした構成としたものであり、吸音材で機体内部の乱流騒音を低減できるという作用を有するので、低騒音にできるという効果を奏する。
【００２４】
また、機体の外面に暴雨カバーを備えた構成としたものであり、暴雨カバーを備えることで機体内部への雨水の浸入を防止できるという作用を有するので、屋外に設置できるという効果を奏する。
【００２５】
以下、本発明の実施の形態について、図面を参照しながら説明する。
【００２６】
（実施の形態１）
図１、図２および図３に示すように、本実施の形態の消音ボックス付送風機は、機体吸込口１と機体吹出口２を箱状の機体３の対向する側面に設けている。機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に遠心送風機９を備えている。遠心送風機９は機体吹出口２に対向した吐出口１０と渦巻状のスクロール１１とケーシング吸込口１２を設けたケーシング側板１３を側面の２面に配置したファンケーシング１４を備え、遠心送風機９の羽根車１５はケーシング吸込口１２近傍に固定したモータ１６に直結して駆動する。モータ１６の重心１７が遠心送風機９のケーシング側板１３の２面の間となるようモータ１６を配置する。防振材１８は機体３の外面の角部１９近傍に露出して配置する構成とする。
【００２７】
また、機体３の底面２０に機体３の寸法と同等の長さの機体架台２１を固定し、機体架台２１の下面に防振材１８を配置して機体３を支持する構成とする。
【００２８】
また、図３に示すように、機体架台２１の断面は曲げ２２を設けたコの字形とし、機体架台２１の一面を機体３の底面２０に固定する構成とする。
【００２９】
また、図２に示すように、防振材１８の設置床面２３側の下面に機体３の寸法より長い設置架台２４を固定し、設置架台２４を設置床面２３に固定する構成とする。
【００３０】
また、図３に示すように、設置架台２４の断面は曲げ２５を設けたコの字形とし、設置架台２４の一面を設置床面２３に固定する構成とする。
【００３１】
また、図２に示すように、ケーシング吸込口１２に対向した機体３の側面に着脱可能な点検パネル３０にて閉塞する機体点検口３１を開口し、機体点検口３１を機体３の側面とし、機体点検口３１と隣り合いかつ機体吸込口１と機体吹出口２の無い側の面を機体３の底面２０として防振材１８を配置した構成とする。
【００３２】
上記構成により、機体３に内蔵の遠心送風機９を、モータ１６を羽根車１５に直結駆動かつモータ１６の重心１７をケーシング側板１３の２面の間に位置して、遠心送風機９の重心を水平面に対する中央に近づけることになる。そのため、モータ１６は、遠心送風機９の吸込口（ケーシング吸込口１２）のほぼ中央に位置し、すなわち、風路８（吸込み気流）内にモータ１６が位置することになる。従って、モータ１６は、機体３内部の送風で冷却することができるので、モータ１６自体の小型化ができ、さらに、機体３全体を軽量化して機体３の重心を水平面に対し中央とすることができる。そのため、防振材１８の縮みを均一にしながら防振材１８を機体３の外面の角部１９近傍に配置できる。
【００３３】
また、機体３の重量を機体架台２１が受けることで、機体３を薄板化しつつ、防振材１８の数量を削減して防振材１８の一箇所あたりの荷重が増加しても、機体３の防振材１８の支持による変形を防止できる。
【００３４】
また、機体架台２１の断面に曲げ２２を設けることで、機体架台２１を薄板化しつつ、防振材１８の数量を削減して防振材１８の一箇所あたりの荷重が増加しても、機体架台２１の防振材１８の支持による変形を防止できる。
【００３５】
また、設置架台２４が機体３から突出することで、設置架台２４が機体３に隠れることがなくなり、防振材１８の目視がし易くなり施工時の作業性の悪さを防止できる。
【００３６】
また、設置架台２４の断面に曲げ２５を設けることで、設置架台２４を薄板化しつつ、防振材１８の数量を削減して防振材１８の一箇所あたりの荷重が増加しても、設置架台２４の防振材１８の支持による変形を防止できる。
【００３７】
また、機体点検口３１を機体３の側面に設けることで、機体３の天面側が狭くメンテナンス空間がない設置条件でも、機体３の側面から内蔵の羽根車１５の点検を可能にできる。
【００３８】
このように本発明の実施の形態１の床置形消音ボックス付送風機によれば、防振材の組み立て作業性を良化することができる。
【００３９】
また、軽量化して施工性を良化できる。
【００４０】
また、設置し易くして施工性を良化できる。
【００４１】
また、メンテナンススペースを小さくできる。
【００４２】
（実施の形態２）
図４に示すように、ケーシング吸込口１２に対向した機体３の側面に機体点検口３１を開口し、機体点検口３１を機体３の天面とし、機体点検口３１と対面する側を機体３の底面２０として防振材１８を配置した構成とする。
【００４３】
上記構成により、機体点検口３１を機体３の天面に設けることで、機体３の両側が狭くメンテナンス空間がない設置条件でも、天面から内蔵の羽根車１５の点検を可能にできる。
【００４４】
このように本発明の実施の形態２の床置形消音ボックス付送風機によれば、メンテナンススペースを小さくできる。
【００４５】
（実施の形態３）
図５に示すように、機体吸込口１の面を機体３の底面２０として防振材１８を配置した構成とする。
【００４６】
上記構成により、機体吸込口１を機体３の底面２０として、機体吸込口１から機体吹出口２に向かう方向を垂直方向とすることで、室内の空気を垂直上方向に搬送しながら建物の外壁面３２に機体３を設置できる。
【００４７】
このように本発明の実施の形態３の床置形消音ボックス付送風機によれば、設置スペースを小さくできる。
【００４８】
（実施の形態４）
図６に示すように、機体３の内面に吸音材３３を内貼りした構成とする。
【００４９】
また、機体３の外面に暴雨カバー３４を備えた構成とする。
【００５０】
上記構成により、吸音材３３で機体３内部の乱流騒音を低減できる。
【００５１】
また、暴雨カバー３４を備えることで機体３内部への雨水３５の浸入を防止できる。
【００５２】
このように本発明の実施の形態４の床置形消音ボックス付送風機によれば、低騒音にできる。
【００５３】
また、屋外に設置できる。
【産業上の利用可能性】
【００５４】
換気送風機器などの空気搬送目的以外に、排気構造を用いて設備機器の冷却ができ、コンパクトに設置できる設備機器の送風等の用途にも適用できる。
【符号の説明】
【００５５】
１    機体吸込口
２    機体吹出口
３    機体
９    遠心送風機
１０  吐出口
１１  スクロール
１２  ケーシング吸込口
１３  ケーシング側板
１４  ファンケーシング
１５  羽根車
１６  モータ
１７  重心
１８  防振材
１９  角部
２０  底面
２１  機体架台
２２  曲げ
２３  設置床面
２４  設置架台
２５  曲げ
３１  機体点検口
３３  吸音材
３４  暴雨カバー
【図１】
0005447061.tif 000002
【図２】
0005447061.tif 000003
【図３】
0005447061.tif 000004
【図４】
0005447061.tif 000005
【図５】
0005447061.tif 000006
【図６】
0005447061.tif 000007
【図７】
0005447061.tif 000008
【図８】
0005447061.tif 000009